(57)【特許請求の範囲】
【請求項１】
遊技領域内に液晶画面を備えた図柄表示装置が設けられており、その図柄表示装置の表示内容が特定の態様となると、遊技者にとって有利な特別遊技状態が生起するパチンコ機であって、
前記図柄表示装置の液晶画面の前方に、遊技球の直径以上の間隔で互いに平行となる複数の透明な板体を前記液晶画面と平行に配置した遊技部材が設置されており、複数の板体のうち最も後方に位置した板体以外の板体の液晶画面の前方位置に、遊技球通過孔を穿設する一方、
少なくとも前記遊技球通過孔を有する板体の表面で液晶画面の前方となる位置に複数の障害体を突設するとともに、少なくとも１つの障害体に遊技球を遊技球通過孔に導く導球路を設け、前記遊技球通過孔を該導球路の延長線上に穿設したことを特徴とするパチンコ機。
【請求項２】
前記導球路を断面Ｖ字状に形成された前記障害体とすることを特徴とする請求項１に記載のパチンコ機。
【請求項３】
前記複数の障害体が千鳥状に設置されていることを特徴とする請求項１または２のいずれかに記載のパチンコ機。
【発明の詳細な説明】
【０００１】
【発明の属する技術分野】
本発明は、パチンコ機等の遊技機に関するものである。
【０００２】
【従来の技術】
パチンコ機の一種として、遊技領域内に、複数の図柄を複数の部位に表示可能な図柄表示装置が設けられており、その図柄表示装置に表示される複数の図柄が予め設定されている特定の図柄の組み合わせ（いわゆる「大当たり図柄」）となった場合に、遊技者にとって有利な特別遊技状態（いわゆる「大当たり状態」）が生起する図柄合わせタイプのパチンコ機が知られている。かかる図柄合わせタイプのパチンコ機においては、図柄表示装置は、色々な図柄やメッセージ等を、種々の態様で、遊技者に分かり易く、かつ、面白く表示できるように、液晶表示装置等によって、非常に大きく形成されている。また、従来の図柄合わせタイプのパチンコ機においては、図柄表示装置の前面を通過した遊技球によって遊技者の視界が遮られて表示された図柄等が遊技者から見えにくくなる事態を防止する目的、および、障害釘のない図柄表示装置の前面を流下し落下速度を増大させた遊技球が衝突することにより図柄表示装置下方の入賞装置や障害釘等が損傷する事態を防止する目的で、複数の障害釘が適宜配設され、遊技領域に打ち込まれた遊技球が図柄表示装置の前面を流下せず、図柄表示装置の両脇のみを流下するようになっている。
【０００３】
【発明が解決しようとする課題】
しかしながら、従来の図柄合わせタイプのパチンコ機は、上記の如く、遊技領域に打ち込まれた遊技球が、図柄表示装置の両脇のみを流下するように構成されているので、遊技球の流下態様が単調であり、面白さに欠ける面があった。このため、遊技者は遊技に対する意欲を失い易く、いつまでも興味を持って遊技をし続けることができなかった。
【０００４】
本発明の目的は、従来の図柄合わせタイプのパチンコ機における上記課題を解消し、遊技球の流下態様がバラエティーに富んでおり、趣向性が高く、遊技者がいつまでも飽きることなく遊技を楽しむことができるパチンコ機を提供することにある。
【０００５】
【課題を解決するための手段】
本発明のうち、請求項１に記載された発明の構成は、遊技領域内に液晶画面を備えた図柄表示装置が設けられており、その図柄表示装置の表示内容が特定の態様となると、遊技者にとって有利な特別遊技状態が生起するパチンコ機であって、前記図柄表示装置の液晶画面の前方に、遊技球の直径以上の間隔で互いに平行となる複数の透明な板体を前記液晶画面と平行に配置した遊技部材が設置されており、複数の板体のうち最も後方に位置した板体以外の板体の液晶画面の前方位置に、遊技球通過孔を穿設する一方、少なくとも前記遊技球通過孔を有する板体の表面で液晶画面の前方となる位置に複数の障害体を突設するとともに、少なくとも１つの障害体に遊技球を遊技球通過孔に導く導球路を設け、前記遊技球通過孔を該導球路の延長線上に穿設したことにある。請求項２に記載された発明の構成は、請求項１に記載された発明において、前記導球路を断面Ｖ字状に形成された前記障害体とすることにある。請求項３に記載された発明の構成は、請求項１または２のいずれかに記載された発明において、前記複数の障害体が千鳥状に設置されていることにある。
【０００６】
【発明の実施の形態】
以下、本発明のパチンコ機の一実施形態を図面に基いて詳細に説明する。
【０００７】
図１は、パチンコ機の正面を示したものであり、パチンコ機１は、周囲が機枠２によって覆われている。機枠２の左端縁には、前面枠３が片開き自在に蝶着されており、その前面枠３の上部には、遊技盤４が設置されている。遊技盤４の表面には、遊技球レール３７が略円周状に立設されており、その遊技球レール３７によって遊技領域Ｐが区画された状態になっている。また、遊技領域Ｐの略中央には、１０インチの大型液晶画面によって形成された幅広な長方形状の図柄表示装置２３が設置されている。図柄表示装置２３は、液晶画面の全体に亘って、種々の図柄や動画、あるいはメッセージ等を、様々な態様で表示できるようになっている。
【０００８】
さらに、図柄表示装置２３の前方には、透明な合成樹脂製で図柄表示装置２３より一回り大きな長方形状の遊技部材３６が設置されており、遊技部材３６の前面は、遊技領域Ｐの表面と略面一になっている。また、遊技部材３６の上下には、図柄始動口Ｗ１，Ｗ６が設けられており、下側の図柄始動口Ｗ６の下方には、大入賞口Ｗ７が設けられている。大入賞口Ｗ７は、扉部分の下端縁が枢着されており、扉部分の上端縁が前方に傾斜して開成するようになっている。なお、遊技領域Ｐには、それらの他にも入賞装置Ｗ２〜Ｗ５，Ｗ８，Ｗ９、風車、電飾ランプ等が設けられているとともに、多数の障害釘が立設されている。一方、前面枠３の左端縁には、ガラス枠５が、片開き自在に蝶着されており、遊技盤４の前方に配置された状態になっている。加えて、前面枠３の下部には、供給皿６と貯留皿７とが設置されており、貯留皿７の右方には、遊技球を遊技領域Ｐに打ち込むための発射ハンドル８が突設されている
【０００９】
また、図２，３は、遊技盤４を示したものであり、遊技盤４の表面に設けられた遊技領域Ｐの中央よりやや上側には、取付孔３８が穿設されており、その取付孔３８に、遊技部材３６が嵌め込み設置されている。遊技部材３６は、周囲に設けられた螺着部１２，１２・・が取付孔３８の周囲に設けられた螺着部１４，１４・・に螺着されることによって、遊技盤４に固着されている（なお、図２，３においては、図柄表示装置２３の記載が省略されている）。
【００１０】
図４は、遊技部材３６を示したものであり、遊技部材３６は、透明な合成樹脂によって一体成形された第１板体９および第２板体１０によって形成されている。図５（ａ）〜（ｄ）は、それぞれ、第１板体９の正面、平面、右側面、背面を示したものであり、第１板体９は、略長方形の板部２８の表面に、複数の第１障害体１１ａ，１１ａ・・、および複数の第２障害体１１ｂ，１１ｂ・・が一体的に植設されている。各第１障害体１１ａ，１１ａ・・は、断面が扁平な六角形状になっており、各第２障害体１１ｂ，１１ｂ・・は、断面が扁平なＶ字状で上面に導球路４４が形成されている。各第１障害体１１ａ，１１ａ・・、および各第２障害体１１ｂ，１１ｂ・・は、板部２８の表面において、中央の鉛直線に対して対称に、かつ７行の千鳥状に配置されており、板部２８から遊技球略１個分程度突出した状態になっている。また、各第２障害体１１ｂ，１１ｂ・・の上方には、遊技球通過孔２７ｂ，２７ｂ・・が穿設されており、下から２行目に配置された第１障害体１１ａ，１１ａ・・のうちの一部の上方には、遊技球通過孔２７ａ，２７ａ・・が穿設されている。さらに、第１板体９の中央の下端際には、図柄表示装置２３の変動メモリーを表示するための窓部１５が設けられており、第１板体９の左右の下端際には、通過孔１９，１９が穿設されている。加えて、第１板体９の裏面は、略面一になっており、中央下方に突起体２９が突設されている。
【００１１】
一方、図６（ａ）〜（ｃ）は、それぞれ、第２板体１０の正面、右側面、背面を示したものであり、第２板体１０は、第１板体より一回り小さな長方形状の板部３２の周囲が周壁３５によって覆われている。そして、板部３２の表面に、複数の第１障害体１８ａ，１８ａ・・、および２つの第２障害体１８ｂ，１８ｂが一体的に植設されている。各第１障害体１８ａ，１８ａ・・は、断面が扁平な六角形状になっており、各第２障害体１８ｂ，１８ｂは、断面が扁平なＶ字状で上面に導球路４５が形成されている。また、各第１障害体１８ａ，１８ａ・・、および第２障害体１８ｂ，１８ｂ・・は、第１板体９の第１障害体１１ａ，１１ａ・・、第２障害体１１ｂ，１１ｂ・・と同様に、板部３２の表面において、中央の鉛直線に対して対称に、かつ千鳥状に配置されており、板部３２から遊技球略１個分程度突出した状態になっている。さらに、第２板体１０の中央下側の周壁３５の上面には、なだらかな山なりの振分傾斜部３４が設けられている。一方、第２板体１０の左右両側の周壁３５の外面には、螺着ボス３３，３３・・が設けられている。
【００１２】
上記した第１板体９および第２板体１０は、第１板体９の周囲の螺着部４３，４３が、第２板体１０の周囲の螺着ボス３３，３３に螺着されることによって、一体的に組み立てられており、第１板体９の板部２８と第２板体１０の板部３２とが、遊技球の直径以上の間隔を隔てて平行に配置した状態になっている。また、第２板体の各第１障害体１８ａ，１８ａ・・が、第１板体９の各第１障害体１１ａ，１１ａ・・の後方に位置し、第２板体の各第２障害体１８ｂ，１８ｂが、第１板体９の各遊技球通過孔２７ａ，２７ａの下側に設けられた第１障害体１１ａ，１１ａの後方に位置した状態になっている。
【００１３】
かかるパチンコ機１は、遊技球が大入賞口Ｗ７等の各入賞装置Ｗに入賞した場合には、入賞装置Ｗの種類に応じて予め定められている所定個数の賞品球を、賞品球払出装置（図示せず）により払い出すようになっている。また、パチンコ機１は、遊技球が何れかの図柄始動口Ｗ１，Ｗ６に入賞した場合には、図柄表示装置２３の左側、中央、右側の各部位において、それぞれ図柄が変動を開始し、所定時間後に停止表示となり、停止表示となった３つの図柄が予め設定されている「大当たり図柄」である場合（たとえば、３つの図柄が同一である場合）には、「大当たり状態」が生起し、大入賞口Ｗ７がきわめて高い確率で所定回数断続的に開成するようになっている。したがって、「大当たり状態」が生起した場合には、遊技者はきわめて高い確率で多くの賞品球を獲得することができる。なお、パチンコ機１は、「大当たり状態」が生起した後には、その「大当たり状態」の生起を周囲に報知する目的や「大当たり状態」をより面白くする目的等によって、図柄表示装置２３の液晶画面の全体に亘って動画やメッセージ等を表示するようになっている。
【００１４】
また、パチンコ機１においては、遊技者によって発射ハンドル８が操作されると、内蔵された発射装置（図示せず）によって、遊技球が遊技領域Ｐの上方まで打ち出される。打ち出された遊技球は、遊技領域Ｐに立設された多くの障害釘と衝突しながら、次第に流下するが、その際、従来のパチンコ機と異なり、図柄表示装置２３の両脇のみを流下するばかりでなく、図柄表示装置２３の前方に設置された遊技部材３６の前方や内部をも流下する。
【００１５】
図７〜図１１は、遊技球が遊技部材３６の前方および内部を流下する場合の経路の一例を示したものであり、遊技球Ｂは、
（ａ）第１板体９の前方のみを流下する態様（図８参照）、
（ｂ）第１板体９の前方を流下した後に、第１板体９の第２障害体１１ｂに導かれて、遊技球通過孔２７（２７ｂ）を通過して第２板体１０の前方に導かれ、第２板体１０の前方を流下した後に、第２板体１０の第２障害体１８ｂに導かれて、第１板体９の遊技球通過孔２７（２７ａ）を通過して第１板体９の前方を流下する態様（図９参照）、
（ｃ）第１板体９の前方を流下した後に、第１板体９の第２障害体１１ｂに導かれて、遊技球通過孔２７を通過して第２板体１０の前方に導かれ、第２板体１０の前方を流下した後に、第２板体の左右下端の周壁３５に導かれ、第１板体９の通過孔１９を通過して第１板体９の下方に流下する態様（図１０参照）、
（ｄ）第１板体９の前方を流下した後に、第１板体９の第２障害体１１ｂに導かれて、遊技球通過孔２７を通過して第２板体１０の前方に導かれ、第２板体１０の前方を流下した後に、第２板体１０の振分傾斜部３４上に導かれ、左右に振り分けられた後に、第１板体９の通過孔１９を通過して第１板体９の下方に流下する態様（図１１参照）、
等の様々な態様により、遊技部材３６の前方や内部を、第１板体９の第１障害体１１ａ，１１ａ・・、第２障害体１１ｂ，１１ｂ・・、第２板体の第１障害体１８ａ，１８ａ・・、第２障害体１８ｂ，１８ｂに次々に衝突したり、第１障害体の遊技球通過孔２７，２７・・を通過したりしながら、転動しつつ流下する。
【００１６】
パチンコ機１は、上記の如く、図柄表示装置２３の前方に、透明な第１板体９と第２板体１０とを遊技球の直径以上の間隔で平行に配置した遊技部材３６が設置されており、遊技領域Ｐに打ち込まれた遊技球を、図柄表示装置２３の両脇ばかりでなく、図柄表示装置２３の前方からも流下させるので、従来のパチンコ機に比べて、遊技球の流下態様がバラエティーに富んでおり、遊技の趣向性が高い。また、遊技部材３６が透明な合成樹脂によって形成されているので、図柄表示装置２３の前方に遊技部材３６が設置されているにも拘わらず、図柄表示装置２３の大型液晶画面を明確に視認することができ、大型液晶画面の全体に亘って表示されるダイナミックな図柄や動画を楽しむことができる。したがって、遊技者はいつまでも飽きることなく遊技を楽しむことができる。
【００１７】
また、パチンコ機１は、第１板体９の表面に、複数の障害体１１，１１・・が突設されているとともに、第２板体１０の表面に、複数の障害体１８，１８・・が突設されており、第１板体９の前方および第２板体１０の前方を流下する遊技球が左右に転動するため、遊技球の流下態様がよりバラエティーに富んだものとなっている。さらに、複数の障害体１１，１１・・，１８，１８・・と衝突させることによって、遊技部材３６の前方および内部を流下する遊技球の落下速度を増大させないので、遊技部材３６の前方を流下した遊技球が図柄表示装置２３の下側に配置された図柄始動口Ｗ６等の入賞装置や障害釘等に衝突した場合におけるそれらの入賞装置、障害釘等の損傷を防止することができる。
【００１８】
さらに、第１板体９に、遊技球通過孔２７，２７・・が穿設されているため、流下する遊技球が、第１板体９前方と第２板体１０前方との間を行き来できるため、遊技球の流下態様が一層バラエティーに富んだものとなっている。
【００１９】
その上、パチンコ機１は、第１板体９の第２障害体１１ｂ，１１ｂ・・に、遊技球を遊技球通過孔２７，２７・・に導く導球路４４が設けられているとともに、第２板体１０の第２障害体１８ｂ，１８ｂ・・に、遊技球を遊技球通過孔２７，２７・・に導く導球路４５，４５・・が設けられており、流下する遊技球が遊技球通過孔２７，２７・・を通過して、第１板体９前方と第２板体１０前方との間を行き来する確率が非常に高い。このため、遊技球の流下態様の多様性が安定したものとなっている。
【００２０】
加えて、パチンコ機１は、第１板体９上に、複数の障害体１１，１１・・が千鳥状に設置されているとともに、第２板体１０上に、複数の障害体１８，１８・・が千鳥状に設置されており、上側の障害体１１，１１・・に衝突した遊技球が下側の障害体１１，１１・・に衝突する可能性、および上側の障害体１８，１８・・に衝突した遊技球が下側の障害体１８，１８・・に衝突する可能性が高く、流下する遊技球が左右に大きく揺れ動くため、遊技球の流下態様が一段とバラエティーに富んだものとなっている。
【００２１】
なお、本発明の遊技機の構成は、上記実施形態の態様に何ら限定されるものではなく、機枠、前面枠、遊技盤、ガラス枠、供給皿、貯留皿、発射ハンドル、図柄表示装置、遊技部材、各種入賞装置等の形状、構造、障害釘の配置、図柄表示装置の形状、表示内容、「大当たり状態」における作動内容等の構成を、本発明の趣旨を逸脱しない範囲で適宜変更できる。
【００２２】
たとえば、遊技部材の各板体に設置する障害体の個数は、上記実施形態と同じ個数に限定されず、適宜変更することができる。また、障害体の形状も、上記実施形態の形状に限定されるものではなく、単なる円柱状や、頭の部分が膨らんだ円柱状体等であっても良い。さらに、障害体の配置も千鳥状に限定されず、上下同一の配置にすること等も可能である。加えて、障害体は、必ずしも板体に一体的に設ける必要はなく、別部材を接着等することによって設けることも可能である。また、第１板体の裏面に、第２板体に植設された各障害体を係止させる係止凹部を設けることも可能である。かかる構成を採用した場合には、遊技球の衝突による衝撃によって第２板体の障害体が損傷しにくい、というメリットがある。
【００２３】
一方、パチンコ機は、通常時には、図柄表示装置の前方を遊技球が流下可能であり、図柄表示装置の図柄が変動中、あるいは「大当たり状態」中である場合には、図柄表示装置の前方を遊技球が流下しないように構成することも可能である。また、図柄表示装置の図柄が変動中、あるいは「大当たり状態」中である場合には、図柄表示装置が、遊技部材の各板体上の障害体が邪魔にならないような（遊技者の視界を遮らないような）図柄を表示するように構成することも可能である。
【００２４】
なお、上記実施形態においては、本発明のパチンコ機がいわゆる第１種のパチンコ機である場合の一例について説明したが、本発明のパチンコ機は、第１種のパチンコ機に限定されるものではなく、第３種のパチンコ機等、他の種類のパチンコ機でも良い。
【００２５】
【発明の効果】
請求項１に記載されたパチンコ機は、図柄表示装置の液晶画面の前方に、遊技球の直径以上の間隔で互いに平行となる複数の透明な板体を前記液晶画面と平行に配置した遊技部材が設置されており、遊技領域に打ち込まれた遊技球を、図柄表示装置の両脇ばかりでなく、液晶画面の前方からも流下させるので、従来のパチンコ機に比べて、遊技球の流下態様がバラエティーに富んでおり、遊技の趣向性が高い。また、遊技部材が透明な合成樹脂によって形成されているので、図柄表示装置の前方に遊技部材が設置されているにも拘わらず、図柄表示装置の大型液晶画面を明確に視認することができ、大型液晶画面の全体に亘って表示されるダイナミックな図柄や動画を楽しむことができる。したがって、遊技者はいつまでも飽きることなく遊技を楽しむことができる。
さらに、複数の板体のうち最も後方に位置した板体以外の板体の液晶画面の前方位置に、遊技球通過孔を穿設する一方、少なくとも遊技球通過孔を有する板体の表面で液晶画面の前方となる位置に複数の障害体を突設するとともに、少なくとも１つの障害体に遊技球を遊技球通過孔に導く導球路を設け、遊技球通過孔を該導球路の延長線上に穿設しているため、流下する遊技球が、液晶画面の前方位置において複数の板体の各前方の間を行き来可能であるため、遊技球の流下態様が非常にバラエティーに富んでいる。さらにまた、複数の障害体により、流下する遊技球が液晶画面の前方で左右に転動するようになり、遊技球の流下態様がよりバラエティーに富む。
加えて、複数の障害体と衝突させることによって、遊技部材の前方を流下する遊技球の落下速度を増大させないので、遊技部材の前方を流下した遊技球が図柄表示装置の下側に配置された図柄始動口等の入賞装置や障害釘等に衝突した場合におけるそれらの入賞装置等の損傷を防止することができる。
【００２６】
請求項２に記載されたパチンコ機によると、流下する遊技球が遊技球通過孔を通過して、複数の板体の前方の間を行き来する確率を高くすることができるため、遊技球の流下態様の多様性がより安定したものとなる。
【００２７】
請求項３に記載されたパチンコ機は、板体上に複数の障害体が千鳥状に設置されており、上側の障害体に衝突した遊技球が下側の障害体に衝突する可能性が高く、流下する遊技球が左右に大きく揺れ動くため、遊技球の流下態様が一段とバラエティーに富んだものとなっている。
【図面の簡単な説明】
【図１】パチンコ機の正面図である。
【図２】遊技盤を示す斜視説明図である。
【図３】遊技盤から遊技部材を取り外した状態を示す斜視説明図である。
【図４】遊技部材を分解した状態を示す斜視説明図である。
【図５】第１板体を示す説明図である。
【図６】第２板体を示す説明図である。
【図７】遊技球が遊技部材の前方および内部を流下する様子を示す説明図である（なお、（ａ）は遊技部材の正面を示したものであり、（ｂ）は（ａ）におけるＡ−Ａ線断面の様子を示したものである）。
【図８】遊技球が遊技部材の前方を流下する様子を示す説明図である。
【図９】遊技球が遊技部材の前方および内部を流下する様子を示す説明図である。
【図１０】遊技球が遊技部材の前方および内部を流下する様子を示す説明図である。
【図１１】遊技球が遊技部材の前方および内部を流下する様子を示す説明図である（なお、（ａ）は遊技部材の正面を示したものであり、（ｂ）は（ａ）におけるＢ−Ｂ線断面の様子を示したものであり、（ｃ）は遊技部材の分解斜視図である）。
【符号の説明】
１・・パチンコ機、２・・機枠、３・・前面枠、４・・遊技盤、５・・ガラス枠、６・・供給皿、７・・貯留皿、８・・発射ハンドル、９・・第１板体、１０・・第２板体、１１・・障害体、１２・・螺着部、１３・・表示装置用孔、１４・・螺着片、１５・・窓部、１６・・ネジ、１７・・ガイド、１８・・障害部材、１９・・通過孔、２０・・集合板、２１・・入賞球払出装置、２２・・表示装置取付部、２３・・図柄表示装置、２４・・螺着部、２５・・ねじ、２６・・メモリーランプ表示部、２７・・流下孔、２８・・板部、２９・・突起体、３０・・板部材、３１・・衝撃吸収部材、３２・・板部、３３・・螺着ボス、３４・・振分傾斜部、３５・・周壁部、３６・・遊技部材、３７・・遊技球レール、３８・・通過孔、３９・・アウト孔、４０・・板部材、４１・・障害体、４２・・リブ、４３・・螺着部、Ｂ・・遊技球、Ｂ・・遊技球、Ｐ・・遊技領域、Ｗ１，Ｗ６・・図柄始動口、Ｗ２〜Ｗ５，Ｗ８，Ｗ９・・入賞装置、Ｗ７・・大入賞口。
【図１】
0003560126.tif 000002
【図２】
0003560126.tif 000003
【図３】
0003560126.tif 000004
【図４】
0003560126.tif 000005
【図５】
0003560126.tif 000006
【図６】
0003560126.tif 000007
【図７】
0003560126.tif 000008
【図８】
0003560126.tif 000009
【図９】
0003560126.tif 000010
【図１０】
0003560126.tif 000011
【図１１】
0003560126.tif 000012